(57)【要約】【課題】小型かつ高ズーム比でありながら、可視光から近赤外光までの波長領域において色収差が十分に補正されたズームレンズを得る。【解決手段】物体側から像側へ順に配置された、正の屈折力の第１レンズ群と、負の屈折力の第２レンズ群と、正の屈折力の第３レンズ群と、少なくとも一つのレンズ群を含む後群とを有し、ズーミングに際して隣り合うレンズ群の間隔が変化するズームレンズであって、第３レンズ群は、少なくとも２枚の負レンズと少なくとも３枚の正レンズとを有し、少なくとも２枚の負レンズの中で屈折力が最も高い２枚の負レンズの材料の平均部分分散比θＣｔｎave、少なくとも３枚の正レンズの中で屈折力が最も高い３枚の正レンズの材料の平均部分分散比θＣｔｐave、２枚の負レンズの材料の平均アッベ数νｄｎave、３枚の正レンズの材料の平均アッベ数νｄｐaveを各々適切に設定する。【選択図】  図１
2019128359.tif 000002
【特許請求の範囲】
【請求項１】
物体側から像側へ順に配置された、正の屈折力の第１レンズ群と、負の屈折力の第２レンズ群と、正の屈折力の第３レンズ群と、少なくとも一つのレンズ群を含む後群とを有し、ズーミングに際して隣り合うレンズ群の間隔が変化するズームレンズであって、
前記第３レンズ群は、少なくとも２枚の負レンズと少なくとも３枚の正レンズとを有し、
前記少なくとも２枚の負レンズの中で屈折力が最も高い２枚の負レンズの材料の部分分散比の平均値をθＣｔｎave、前記少なくとも３枚の正レンズの中で屈折力が最も高い３枚の正レンズの材料の部分分散比の平均値をθＣｔｐave、前記２枚の負レンズの材料のアッベ数の平均値をνｄｎave、前記３枚の正レンズの材料のアッベ数の平均値をνｄｐaveとしたとき、
−０．００３０≦（θＣｔｎave−θＣｔｐave）／（νｄｎave−νｄｐave）
≦０．００４０
３０．０≦νｄｎave≦７５．０
なる条件式を満足することを特徴とするズームレンズ。
【請求項２】
前記第３レンズ群の焦点距離をｆ３、広角端における全系の焦点距離をｆｗとしたとき、
１．１≦ｆ３／ｆｗ≦８．２
なる条件式を満足することを特徴とする請求項１に記載のズームレンズ。
【請求項３】
前記第１レンズ群の焦点距離をｆ１、広角端における全系の焦点距離をｆｗとしたとき、
７．７≦ｆ１／ｆｗ≦２０．０
なる条件式を満足することを特徴とする請求項１または２に記載のズームレンズ。
【請求項４】
望遠端における全系の焦点距離をｆｔ、広角端における全系の焦点距離をｆｗとしたとき、
５．０≦ｆｔ／ｆｗ≦９０．０
なる条件式を満足することを特徴とする請求項１乃至３のいずれか１項に記載のズームレンズ。
【請求項５】
ズーミングに際して、前記第１レンズ群は不動であることを特徴とする請求項１乃至４のいずれか１項に記載のズームレンズ。
【請求項６】
前記第１レンズ群は、少なくとも３枚の正レンズを有することを特徴とする請求項１乃至５のいずれか１項に記載のズームレンズ。
【請求項７】
前記第１レンズ群の焦点距離をｆ１、前記第２レンズ群の焦点距離をｆ２としたとき、
−１２．０≦ｆ１／ｆ２≦−２．０
なる条件式を満足することを特徴とする請求項１乃至６のいずれか１項に記載のズームレンズ。
【請求項８】
バックフォーカスをＢＦ、広角端における全系の焦点距離をｆｗとしたとき、
０．３≦ＢＦ／ｆｗ≦３．０
なる条件式を満足することを特徴とする請求項１乃至７のいずれか１項に記載のズームレンズ。
【請求項９】
最も物体側の光学面から像面までの距離をＴＤ、望遠端における全系の焦点距離をｆｔとしたとき、
０．３≦ＴＤ／ｆｔ≦２．０
なる条件式を満足することを特徴とする請求項１乃至８のいずれか１項に記載のズームレンズ。
【請求項１０】
前記第３レンズ群よりも物体側に配置された開口絞りを有することを特徴とする請求項１乃至９のいずれか１項に記載のズームレンズ。
【請求項１１】
−０．００２０≦（θＣｔｎave−θＣｔｐave）／（νｄｎave−νｄｐave）
≦０．００３０
なる条件式を満足することを特徴とする請求項１乃至１０のいずれか１項に記載のズームレンズ。
【請求項１２】
３５．０≦νｄｎave≦６５．０
なる条件式を満足することを特徴とする請求項１乃至１１のいずれか１項に記載のズームレンズ。
【請求項１３】
請求項１乃至１２のいずれか１項に記載のズームレンズと、
該ズームレンズによって形成された像を受光する撮像素子とを有することを特徴とする撮像装置。
【請求項１４】
請求項１乃至１２のいずれか一項に記載のズームレンズと、
ズーミングに際して前記ズームレンズを制御する制御部とを有することを特徴とする撮像システム。
【請求項１５】
前記制御部は、前記ズームレンズとは別体として構成されており、前記ズームレンズを制御するための制御信号を送信する送信部を有することを特徴とする請求項１４に記載の撮像システム。
【請求項１６】
前記制御部は、前記ズームレンズとは別体として構成されており、前記ズームレンズを操作するための操作部を有することを特徴とする請求項１４または１５に記載の撮像システム。
【請求項１７】
前記ズームレンズのズームに関する情報を表示する表示部を有することを特徴とする請求項１４乃至１６のいずれか一項に記載の撮像システム。
【発明の詳細な説明】
【技術分野】
【０００１】
本発明は、ズームレンズに関し、特にデジタルスチルカメラ、ビデオカメラ、監視用カメラ、放送用カメラ等の撮像装置に用いる撮影光学系として好適なものである。
【背景技術】
【０００２】
撮像装置に用いられるズームレンズとしては、小型でありながら高ズーム比を有し、ズーム全域にわたって良好な光学性能を持っているものが要求されている。
このようなズームレンズとして、第１レンズ群に正の屈折力を有するポジティブリードのズームレンズが知られている。
【０００３】
特許文献１では、第１レンズ群乃至第４レンズ群の屈折力が正、負、正、正であり、ズーム比３０倍程度の実施例が開示されている。
特許文献２では、第１レンズ群乃至第５レンズ群の屈折力が正、負、正、正、正であり、ズーム比１７倍程度の実施例が開示されている。
【先行技術文献】
【特許文献】
【０００４】
【特許文献１】特開２０１６−４５２９７号公報
【特許文献２】特開２００７−６５５２５号公報
【発明の概要】
【発明が解決しようとする課題】
【０００５】
特に監視カメラなどの撮像装置においては、夜間などの光量が少ない状況においても被写体の鮮明な画像を取得するために、波長８５０ｎｍ程度の近赤外光を被写体に照射し、その反射光を用いて撮影する場合がある。
また、昼間から夜間にかけての時間帯など、可視光と近赤外光の両方が混在する状況においても、高解像度な画像を取得することが求められる。
そのため、可視光から近赤外光までの波長領域における色収差が、ズーム全域にわたって良好に補正されているズームレンズが求められる。
しかしながら、特許文献１及び特許文献２で開示されているズームレンズでは、近赤外光を含んだ広い波長領域にわたっては色収差が十分に補正されていない。
そこで本発明は、これらを鑑み、小型かつ高ズーム比でありながら、可視光から近赤外光までの波長領域において色収差が十分に補正されたズームレンズ及びそれを有する撮像装置を得ることを目的とする。
【課題を解決するための手段】
【０００６】
本発明に係るズームレンズは、物体側から像側へ順に配置された、正の屈折力の第１レンズ群と、負の屈折力の第２レンズ群と、正の屈折力の第３レンズ群と、少なくとも一つのレンズ群を含む後群とを有し、ズーミングに際して隣り合うレンズ群の間隔が変化するズームレンズであって、第３レンズ群は、少なくとも２枚の負レンズと少なくとも３枚の正レンズとを有し、少なくとも２枚の負レンズの中で屈折力が最も高い２枚の負レンズの材料の部分分散比の平均値をθＣｔｎave、少なくとも３枚の正レンズの中で屈折力が最も高い３枚の正レンズの材料の部分分散比の平均値をθＣｔｐave、２枚の負レンズの材料のアッベ数の平均値をνｄｎave、３枚の正レンズの材料のアッベ数の平均値をνｄｐaveとしたとき、
−０．００３０≦（θＣｔｎave−θＣｔｐave）／（νｄｎave−νｄｐave）
≦０．００４０
３０．０≦νｄｎave≦７５．０
なる条件式を満足することを特徴とする。
【発明の効果】
【０００７】
本発明によれば、小型かつ高ズーム比でありながら、可視光から近赤外光までの波長領域において色収差が十分に補正されたズームレンズ及びそれを有する撮像装置を得ることができる。
【図面の簡単な説明】
【０００８】
【図１】実施例１の広角端におけるレンズ断面と移動軌跡の図。
【図２】実施例１の広角端、ズーム中間位置及び望遠端それぞれにおける諸収差図。
【図３】実施例２の広角端におけるレンズ断面と移動軌跡の図。
【図４】実施例２の広角端、ズーム中間位置及び望遠端それぞれにおける諸収差図。
【図５】実施例３の広角端におけるレンズ断面と移動軌跡の図。
【図６】実施例３の広角端、ズーム中間位置及び望遠端それぞれにおける諸収差図。
【図７】実施例４の広角端におけるレンズ断面と移動軌跡の図。
【図８】実施例４の広角端、ズーム中間位置及び望遠端それぞれにおける諸収差図。
【図９】実施例５の広角端におけるレンズ断面と移動軌跡の図。
【図１０】実施例５の広角端、ズーム中間位置及び望遠端それぞれにおける諸収差図。
【図１１】実施例６の広角端におけるレンズ断面と移動軌跡の図。
【図１２】実施例６の広角端、ズーム中間位置及び望遠端それぞれにおける諸収差図。
【図１３】実施例７の広角端におけるレンズ断面と移動軌跡の図。
【図１４】実施例７の広角端、ズーム中間位置及び望遠端それぞれにおける諸収差図。
【図１５】実施例８の広角端におけるレンズ断面と移動軌跡の図。
【図１６】実施例８の広角端、ズーム中間位置及び望遠端それぞれにおける諸収差図。
【図１７】本発明に係るズームレンズを搭載した撮像装置の模式的斜視図。
【図１８】条件式（１）の説明図。
【発明を実施するための形態】
【０００９】
以下に、本発明に係るズームレンズを添付の図面に基づいて詳細に説明する。なお、以下に示す図面は、本発明を容易に理解できるようにするために、実際とは異なる縮尺で描かれている場合がある。
【００１０】
本発明は、小型かつ高ズーム比でありながら、可視光から近赤外光までの波長領域における色収差が良好に補正されたズームレンズ、及びそれを有する撮像装置を提供することを目的としている。
本発明に係るズームレンズは、物体側から像側へ順に配置された、正の屈折力の第１レンズ群Ｌ１と、負の屈折力の第２レンズ群Ｌ２と、正の屈折力の第３レンズ群Ｌ３と、少なくとも一つのレンズ群を含む後群ＬＲとを有しており、ズーミングに際して隣り合うレンズ群の間隔が変化する。
第３レンズ群Ｌ３は、少なくとも２枚の負レンズと少なくとも３枚の正レンズとを有している。また、ズーミングに際して、第１レンズ群Ｌ１は不動である。
第３レンズ群Ｌ３に含まれる負レンズの中で屈折力が最も高い２枚の負レンズの材料の部分分散比の平均値（以下、平均部分分散比と称する。）をθＣｔｎave、第３レンズ群Ｌ３に含まれる正レンズの中で屈折力が最も高い３枚のレンズの材料の平均部分分散比をθＣｔｐaveとする。
また、第３レンズ群Ｌ３に含まれる負レンズの中で屈折力が最も高い２枚の負レンズの材料のアッベ数の平均値（以下、平均アッベ数と称する。）をνｄｎave、第３レンズ群Ｌ３に含まれる正レンズの中で屈折力が最も高い３枚の正レンズの材料の平均アッベ数をνｄｐaveとする。
このとき、本発明に係るズームレンズは、以下の条件式を満足することを特徴とする。
−０．００３０≦（θＣｔｎave−θＣｔｐave）／（νｄｎave−νｄｐave）
≦０．００４０  ・・・（１）
３０．０≦νｄｎave≦７５．０  ・・・（２）
【００１１】
本発明に係るズームレンズは、全系が小型で高ズーム比を確保し、収差を良好に補正するために、物体側から順に正、負、正の屈折力を有するレンズ群、及び後群からなる構成としている。
また、本発明に係るズームレンズは、広角端において軸上マージナル光線高さの高い第３レンズ群Ｌ３に、少なくとも２枚の負レンズと少なくとも３枚の正レンズとを配することで、各レンズ面の曲率を緩めて球面収差の発生を抑制している。また、負レンズと正レンズとの組み合わせにより、軸上色収差を良好に補正している。
さらに、本発明は、上記の条件式（１）及び（２）を満足することにより、小型かつ高ズーム比でありながら、可視光から近赤外光までの波長領域における色収差が良好に補正されたズームレンズを実現することができる。
【００１２】
次に、上記の条件式（１）について図１８を用いて説明する。
図１８は、アッベ数νｄとＣ線及びｔ線に関する部分分散比θｃｔとの関係を示したグラフである。
【００１３】
アッベ数νｄ及び部分分散比θＣｔは、以下の式（Ａ）及び（Ｂ）のように与えられる。
νｄ＝（ｎｄ−１）／（ｎＦ−ｎＣ）  ・・・（Ａ）
θＣｔ＝（ｎＣ−ｎｔ）／（ｎＦ−ｎＣ）  ・・・（Ｂ）
ここで、フラウンフォーファ線のＦ線（４８６．１ｎｍ）、ｄ線（５８７．６ｎｍ）、Ｃ線（６５６．３ｎｍ）、ｔ線（１０１３．９８ｎｍ）に対する屈折率をそれぞれｎＦ、ｎｄ、ｎＣ、ｎｔとしている。
【００１４】
図１８において、第３レンズ群Ｌ３に含まれる負レンズの中で屈折力が最も高い（屈折力の絶対値が大きい）２枚の負レンズＬＮ１及びＬＮ２（最も高い屈折力を有する負レンズＬＮ１及び二番目に高い屈折力を有する負レンズＬＮ２）の材料の平均部分分散比θＣｔｎaveと平均アッベ数νｄｎaveとを座標値として持つ点Ｎが示されている。
また、第３レンズ群Ｌ３に含まれる正レンズの中で屈折力が最も高い（屈折力の絶対値が大きい）３枚の正レンズＬＰ１、ＬＰ２及びＬＰ３（最も高い屈折力を有する正レンズＬＰ１、二番目に高い屈折力を有する正レンズＬＰ２及び三番目に高い屈折力を有する正レンズＬＰ３）の材料の平均部分分散比θＣｔｐaveと平均アッベ数νｄｐaveとを座標値として持つ点Ｐも示されている。
なお、負レンズＬＮ１及びＬＮ２の屈折力は互いに同じでもよく、正レンズＬＰ１、ＬＰ２及びＬＰ３のうちの少なくとも二つの屈折力は互いに同じでもかまわない。
【００１５】
図１８に示されているように、条件式（１）は、点Ｎ及び点Ｐを通る直線の傾きの範囲を設定しているものである。
条件式（１）を満たすことで、特に広角端における近赤外光の波長領域の軸上色収差を十分に補正することができ、良好な光学性能の実現が可能である。
条件式（１）の上限値を越えて、第３レンズ群Ｌ３に含まれる負レンズ及び正レンズそれぞれに対する平均部分分散比の間の差と平均アッベ数の間の差との比がプラス方向に大きくなりすぎると、特に広角端における可視光に対する近赤外光の軸上色収差が補正不足となってしまい、好ましくない。
また、条件式（１）の下限値を越えて、第３レンズ群Ｌ３に含まれる負レンズと正レンズそれぞれに対する平均部分分散比の間の差と平均アッベ数の間の差との比がマイナス方向に小さくなりすぎると、特に広角端における可視光に対する近赤外光の軸上色収差が過剰補正となってしまい、好ましくない。
【００１６】
条件式（２）は、第３レンズ群Ｌ３に含まれる負レンズの中で屈折力が最も高い２枚の負レンズＬＮ１及びＬＮ２の材料の平均アッベ数を規定したものである。
条件式（２）を満たすことで、特に広角端において発生する軸上色収差を十分に抑制することができ、良好な光学性能を得ることが可能となる。
条件式（２）の下限値を超えて平均アッベ数が小さくなりすぎると、特に広角端において軸上色収差が大きく発生してしまうため好ましくない。
【００１７】
以下に示す各実施例では、上記の条件式（１）及び（２）を満足するように各要素を適切に設定している。
これにより小型で高ズーム比でありながら、可視光から近赤外光までの波長領域における色収差が良好に補正されたズームレンズが得られる。
【００１８】
なお、本発明に係るズームレンズは、各実施例において、好ましくは条件式（１）及び（２）の数値範囲をそれぞれ以下の条件式（１ａ）及び（２ａ）のようにするのがよい。
−０．００２０≦（θＣｔｎave−θＣｔｐave）／（νｄｎave−νｄｐave）
≦０．００３０  ・・・（１ａ）
３５．０≦νｄｎave≦６５．０  ・・・（２ａ）
【００１９】
また、本発明に係るズームレンズは、各実施例において、さらに好ましくは条件式（１ａ）及び（２ａ）の数値範囲をそれぞれ以下の条件式（１ｂ）及び（２ｂ）のようにするのがよい。
−０．００１０≦（θＣｔｎave−θＣｔｐave）／（νｄｎave−νｄｐave）
≦０．００２５  ・・・（１ｂ）
３８．０≦νｄｎave≦６２．０  ・・・（２ｂ）
【００２０】
また、本発明に係るズームレンズは、以下の条件式（３）乃至（８）の一つ以上を満足することが好ましい。
１．１≦ｆ３／ｆｗ≦８．２  ・・・（３）
７．７≦ｆ１／ｆｗ≦２０．０  ・・・（４）
５．０≦ｆｔ／ｆｗ≦９０．０  ・・・（５）
−１２．０≦ｆ１／ｆ２≦−２．０  ・・・（６）
０．３≦ＢＦ／ｆｗ≦３．０  ・・・（７）
０．３＜ＴＤ／ｆｔ＜２．０  ・・・（８）
ここで、第３レンズ群Ｌ３の焦点距離をｆ３、広角端における全系の焦点距離をｆｗ、第１レンズ群Ｌ１の焦点距離をｆ１、望遠端における全系の焦点距離をｆｔとしている。また、第２レンズ群Ｌ２の焦点距離をｆ２、バックフォーカス（レンズ最終面から近軸像面までの距離を空気換算した長さ）をＢＦ、光学全長（最も物体側の面から像面までの長さ）をＴＤとしている。
【００２１】
条件式（３）は、第３レンズ群Ｌ３の焦点距離と広角端における全系の焦点距離との比を規定したものである。
条件式（３）の上限値を超えて第３レンズ群Ｌ３の屈折力が弱くなると、後群ＬＲの屈折力が過剰に強まることで、広角端におけるコマ収差が悪化してしまうため好ましくない。
逆に、条件式（３）の下限値を超えて第３レンズ群Ｌ３の屈折力が強くなると、広角端における球面収差が悪化してしまうため好ましくない。
【００２２】
条件式（４）は、第１レンズ群Ｌ１の焦点距離と広角端における全系の焦点距離との比を規定したものである。
条件式（４）の上限値を超えて第１レンズ群Ｌ１の屈折力が弱くなると、高ズーム比化のために第２レンズ群Ｌ２の屈折力を過剰に強める必要があり、広角端における像面湾曲が悪化してしまうため好ましくない。
逆に、条件式（４）の下限値を超えて第１レンズ群Ｌ１の屈折力が強くなると、望遠端における球面収差が悪化してしまうため好ましくない。
【００２３】
条件式（５）は、広角端における全系の焦点距離と望遠端における全系の焦点距離との比を規定したものである。
条件式（５）の上限値を超えると、各レンズ群の屈折力が過剰に強まることで、球面収差やコマ収差等の諸収差が悪化してしまうため好ましくない。
一方、条件式（５）の下限値を超えると、高ズーム比化が困難となる。
【００２４】
条件式（６）は、第１レンズ群Ｌ１と第２レンズ群Ｌ２との焦点距離の比を規定したものである。
条件式（６）の上限値を超えて第１レンズ群Ｌ１の屈折力に対して第２レンズ群Ｌ２の屈折力が弱くなると、光学系として十分な変倍比を確保することができず、高ズーム比が困難となる。
一方、条件式（６）の下限値を超えて第１レンズ群Ｌ１の屈折力に対して第２レンズ群Ｌ２の屈折力が強くなると、広角端における像面湾曲が悪化してしまうため好ましくない。
【００２５】
条件式（７）は、バックフォーカスと広角端における全系の焦点距離との比を規定したものである。
条件式（７）の上限値を超えてバックフォーカスが長くなると、全系が大型化するため好ましくない。
一方、条件式（７）の下限値を超えてバックフォーカスが短くなると、ローパスフィルターや赤外カットフィルター等の光学素子を設けるためのスペースが足りなくなるため好ましくない。
【００２６】
条件式（８）は、レンズ全長と望遠端における全系の焦点距離との比を規定したものである。
条件式（８）の上限値を超えてレンズ全長が長くなると、全系が大型化するため好ましくない。
一方、条件式（８）の下限値を超えてレンズ全長が短くなると、各レンズ群の屈折力が過剰に強まることで、球面収差やコマ収差等の諸収差が悪化してしまうため好ましくない。
【００２７】
なお、本発明に係るズームレンズは、各実施例において、好ましくは条件式（３）乃至（８）の数値範囲をそれぞれ以下の条件式（３ａ）乃至（８ａ）のようにするのがよい。
１．７≦ｆ３／ｆｗ≦７．５  ・・・（３ａ）
９．２≦ｆ１／ｆｗ≦１６．０  ・・・（４ａ）
１０．０≦ｆｔ／ｆｗ≦７０．０  ・・・（５ａ）
−９．０≦ｆ１／ｆ２≦−４．０  ・・・（６ａ）
０．７≦ＢＦ／ｆｗ≦２．０  ・・・（７ａ）
０．５≦ＴＤ／ｆｔ≦１．５  ・・・（８ａ）
【００２８】
また、本発明に係るズームレンズは、各実施例において、さらに好ましくは条件式（３ａ）乃至（８ａ）の数値範囲をそれぞれ以下の条件式（３ｂ）乃至（８ｂ）のようにするのがよい。
２．２≦ｆ３／ｆｗ≦６．７  ・・・（３ｂ）
１０．０≦ｆ１／ｆｗ≦１５．０  ・・・（４ｂ）
１３．０≦ｆｔ／ｆｗ≦５５．０  ・・・（５ｂ）
−７．５≦ｆ１／ｆ２≦−４．４  ・・・（６ｂ）
０．８≦ＢＦ／ｆｗ≦１．５  ・・・（７ｂ）
０．７≦ＴＤ／ｆｔ≦１．４  ・・・（８ｂ）
【００２９】
以下に示す各実施例では、以上のように各要素を構成することにより、小型かつ高ズーム比でありながら、可視光から近赤外光までの波長領域における色収差が良好に補正されたズームレンズが得られる。
また、上記の条件式を任意に複数組み合わせることにより、さらに本発明の効果を高めることができる。
【００３０】
次に、本発明のズームレンズ及びそれを有する撮像装置を図面に基づいて説明する。
各実施例のズームレンズは、デジタルスチルカメラやビデオカメラ、銀塩フィルムカメラ、テレビカメラ等の撮像装置に用いられる撮像光学系である。
【００３１】
図１、図３、図５、図７、図９、図１１、図１３及び図１５に示されているレンズ断面図において、左側は物体側であり、右側は像側である。また、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。従って、後群ＬＲは、第４レンズ群Ｌ４及び第５レンズ群Ｌ５を有している。
【００３２】
Ｐは光学フィルター、フェースプレート、ローパスフィルター、赤外カットフィルター等に相当する光学ブロックであり、Ｉは像面である。デジタルスチルカメラやビデオカメラの撮影光学系としてズームレンズを使用する際には、像面ＩはＣＣＤセンサやＣＭＯＳセンサといった固体撮像素子（光電変換素子）に相当する。また、銀塩フィルムカメラの撮影光学系としてズームレンズを使用する際には、像面Ｉはフィルム面に相当する。
レンズ断面図中の矢印は、ズーミング時の各レンズ群の移動軌跡を示している。
【００３３】
各実施例において、ＳＰは開口絞りであり、第３レンズ群Ｌ３の物体側に配置されている。開口絞りＳＰの開口径はズーミングに際して一定とすることも、変化させることもできる。開口絞りＳＰの開口径を変化させることで、望遠端において大きく発生する軸外光束による下線コマフレアをカットすることができ、より良好な光学性能を得ることができる。
【００３４】
フォーカシングに関しては、第４レンズ群Ｌ４が光軸上を移動することで行う。レンズ断面図中に描かれた第４レンズ群Ｌ４についての移動軌跡のうち、実線で描かれた曲線は無限遠物体にフォーカスしているときの広角端から望遠端へのズーミングに伴う像面変動を補正するための移動軌跡を示している。また、点線で描かれた曲線は、近距離物体にフォーカスしているときの広角端から望遠端へのズーミングに伴う像面変動を補正するための移動軌跡を示している。
なお、各実施例において、フォーカシングは第４レンズ群Ｌ４ではなく、第５レンズ群Ｌ５を光軸上に移動させて行ってもよい。
【００３５】
球面収差図において、ＦｎｏはＦナンバーである。また、実線はｄ線（波長５８７．５６ｎｍ）、二点鎖線はｇ線（波長４３５．８４ｎｍ）、一点鎖線はＣ線（波長６５６．２７ｎｍ）、破線はＦ線（波長４８６．１３ｎｍ）、点線は波長８５０ｎｍを示している。
非点収差図において、実線はｄ線におけるサジタル像面、点線はメリディオナル像面である。歪曲収差はｄ線について示している。倍率色収差図についてはｄ線に対するｇ線、Ｃ線、Ｆ線、波長８５０ｎｍの収差を示している。ωは撮像半画角である。
【００３６】
次に、各実施例のレンズ構成について説明する。なお、各レンズは特に断りがない限り、物体側から像側へ順に配置されているとする。
【００３７】
［実施例１］
第１レンズ群Ｌ１は、物体側が凸面でメニスカス形状の負レンズと両凸形状の正レンズとが接合されたレンズ、両凸形状の正レンズ、物体側が凸面でメニスカス形状の正レンズで構成されている。接合レンズを設けることで、特に望遠端における軸上色収差を良好に補正することができる。
第２レンズ群Ｌ２は、物体側が凸面でメニスカス形状の負レンズ、両凹形状の負レンズ、両凹形状の負レンズ、両凸形状の正レンズで構成されている。このレンズ構成により広角端における像面湾曲、ズーム全域における倍率色収差の補正を効果的に行っている。
第３レンズ群Ｌ３は、物体側が凸面でメニスカス形状の正レンズ、物体側が凸面でメニスカス形状かつ両面非球面形状の正レンズ、両凹形状の負レンズ、物体側が凸面でメニスカス形状の負レンズと両凸形状の正レンズとが接合されたレンズ、両凸形状の正レンズで構成されている。このような構成とすることで、広角端における球面収差の発生を抑えることが可能となる。
【００３８】
第４レンズ群Ｌ４は、物体側が凹面でメニスカス形状の正レンズと両凹形状の負レンズとが接合されたレンズで構成されている。接合レンズ１枚とすることで、フォーカシング時の倍率色収差の変動を抑制することができ、また軽量化によりフォーカシング時の制御がしやすくなる。
第５レンズ群Ｌ５は、物体側が凸面でメニスカス形状の負レンズと両凸形状の正レンズとが接合されたレンズで構成されている。最終レンズ群である第５レンズ群Ｌ５を正の屈折力を有するレンズ群とすることで、テレセントリック性が高くなり、軸外光束が撮像素子へ垂直に近い角度で入射するため、シェーディングによる画面周辺の光量落ちを抑制することができる。
【００３９】
［実施例２］
第１レンズ群Ｌ１は、物体側が凸面でメニスカス形状の負レンズと両凸形状の正レンズとが接合されたレンズ、物体側が凸面でメニスカス形状の負レンズと両凸形状の正レンズとが接合されたレンズ、物体側が凸面でメニスカス形状の正レンズで構成されている。接合レンズを２枚設けることで、特に望遠端における軸上色収差を良好に補正することができる。
第２レンズ群Ｌ２は、実施例１と同様の構成である。
第３レンズ群Ｌ３は、物体側が凸面でメニスカス形状の正レンズ、両凸形状かつ両面非球面形状の正レンズ、両凹形状の負レンズ、物体側が凸面でメニスカス形状の負レンズと両凸形状の正レンズとが接合されたレンズ、両凸形状の正レンズで構成されている。このような構成とすることで、広角端における球面収差の発生を抑えることが可能となる。
第４レンズ群Ｌ４及び第５レンズ群Ｌ５は、実施例１と同様の構成である。
【００４０】
［実施例３］
第１レンズ群Ｌ１は、物体側が凸面でメニスカス形状の負レンズ、物体側が凸面でメニスカス形状の負レンズと両凸形状の正レンズとが接合されたレンズ、両凸形状の正レンズ、両凸形状の正レンズで構成されている。接合レンズを設けることで、特に望遠端における軸上色収差を良好に補正することができる。
第２レンズ群Ｌ２は、実施例１と同様の構成である。
第３レンズ群Ｌ３は、物体側が凸面でメニスカス形状の正レンズ、両凸形状かつ両面非球面形状の正レンズ、両凹形状の負レンズ、物体側が凸面でメニスカス形状の負レンズと両凸形状の正レンズとが接合されたレンズ、物体側が凸面でメニスカス形状の正レンズで構成されている。このような構成とすることで、広角端における球面収差の発生を抑えることが可能となる。
【００４１】
第４レンズ群Ｌ４は、実施例１と同様の構成である。
第５レンズ群Ｌ５は、両凸形状の正レンズで構成されている。最終レンズ群である第５レンズ群Ｌ５を正の屈折力を有するレンズ群とすることで、テレセントリック性が高くなり、軸外光束が撮像素子へ垂直に近い角度で入射するため、シェーディングによる画面周辺の光量落ちを抑制することができる。
【００４２】
［実施例４］
第１レンズ群Ｌ１は、実施例１と同様の構成である。
第２レンズ群Ｌ２は、物体側が凸面でメニスカス形状の負レンズ、両凹形状の負レンズ、物体側が凹面でメニスカス形状の負レンズ、両凸形状の正レンズで構成されている。このレンズ構成により広角端における像面湾曲、ズーム全域における倍率色収差の補正を効果的に行っている。
【００４３】
第３レンズ群Ｌ３は、実施例２と同様の構成である。
第４レンズ群Ｌ４は、両凸形状の正レンズと両凹形状の負レンズとが接合されたレンズで構成されている。接合レンズ１枚とすることで、フォーカシング時の倍率色収差の変動を抑制することができ、また軽量化によりフォーカシング時の制御がしやすくなる。
第５レンズ群Ｌ５は、実施例１と同様の構成である。
【００４４】
［実施例５］
第１レンズ群Ｌ１は、実施例１と同様の構成である。
第２レンズ群Ｌ２は、実施例４と同様の構成である。
第３レンズ群Ｌ３は、実施例２と同様の構成である。
第４レンズ群Ｌ４は、実施例４と同様の構成である。
第５レンズ群Ｌ５は、実施例１と同様の構成である。
【００４５】
［実施例６］
第１レンズ群Ｌ１は、実施例１と同様の構成である。
第２レンズ群Ｌ２は、物体側が凸面でメニスカス形状の負レンズ、物体側が凸面でメニスカス形状の負レンズ、物体側が凹面でメニスカス形状の負レンズ、両凸形状の正レンズで構成されている。このレンズ構成により広角端における像面湾曲、ズーム全域における倍率色収差の補正を効果的に行っている。
第３レンズ群Ｌ３は、実施例２と同様の構成である。
第４レンズ群Ｌ４及び第５レンズ群Ｌ５は、実施例１と同様の構成である。
【００４６】
［実施例７］
第１レンズ群Ｌ１は、実施例１と同様の構成である。
第２レンズ群Ｌ２は、物体側が凸面でメニスカス形状の負レンズ、物体側が凸面でメニスカス形状の負レンズ、両凹形状の負レンズ、物体側が凸面でメニスカス形状の正レンズで構成されている。このレンズ構成により広角端における像面湾曲、ズーム全域における倍率色収差の補正を効果的に行っている。
【００４７】
第３レンズ群Ｌ３は、物体側が凸面でメニスカス形状の正レンズ、物体側が凸面でメニスカス形状かつ両面非球面形状の正レンズ、両凹形状の負レンズ、物体側が凸面でメニスカス形状の負レンズと両凸形状の正レンズとが接合されたレンズ、物体側が凸面でメニスカス形状の正レンズで構成されている。このような構成とすることで、広角端における球面収差の発生を抑えることが可能となる。
第４レンズ群Ｌ４は、実施例４と同様の構成である。
第５レンズ群Ｌ５は、実施例１と同様の構成である。
【００４８】
［実施例８］
第１レンズ群Ｌ１は、実施例２と同様の構成である。
第２レンズ群Ｌ２は、実施例１と同様の構成である。
第３レンズ群Ｌ３は、物体側が凸面でメニスカス形状の正レンズ、物体側が凸面でメニスカス形状かつ両面非球面形状の正レンズ、両凹形状の負レンズと両凸形状の正レンズとが接合されたレンズ、両凸形状の正レンズと物体側が凹面でメニスカス形状の負レンズとが接合されたレンズで構成されている。このような構成とすることで、広角端における球面収差の発生を抑えることが可能となる。
【００４９】
第４レンズ群Ｌ４は、実施例４と同様の構成である。
第５レンズ群Ｌ５は、両凸形状の正レンズと物体側が凹面でメニスカス形状の負レンズとが接合されたレンズで構成されている。最終レンズ群である第５レンズ群Ｌ５を正の屈折力を有するレンズ群とすることで、テレセントリック性が高くなり、軸外光束が撮像素子へ垂直に近い角度で入射するため、シェーディングによる画面周辺の光量落ちを抑制することができる。
【００５０】
なお、上記では、後群ＬＲが第４レンズ群Ｌ４及び第５レンズ群Ｌ５の二つのレンズ群を含んでいる実施例を示したが、これに限られない。
後群ＬＲは、少なくとも一つのレンズ群、すなわち一つのレンズ群若しくは三つ以上のレンズ群を含んでいても、本発明の効果を得ることができる。
【００５１】
次に、本発明のズームレンズを撮影光学系として用いた撮像装置の実施例を、図１７を用いて説明する。
【００５２】
図１７において、１０は、監視カメラ本体、１１は、撮影光学系としての上記の実施例１〜８のいずれかに係るズームレンズである。
１２は、ズームレンズ１１によって構成された撮像装置であり、１３は、撮像装置１２に内蔵され、撮像装置１２によって形成された被写体像を受光するＣＣＤセンサやＣＭＯＳセンサ等の固体撮像素子（光電変換素子）である。
１４は、固体撮像素子１３によって光電変換された被写体像に対応する情報を記録するメモリであり、１５は、固体撮像素子１３によって光電変換された被写体像を転送するためのネットワークケーブルである。
１６は、監視カメラ本体１０を防護するためのドームカバーである。
本発明のズームレンズは、撮像装置として監視カメラに限定されることはなく、ビデオカメラやデジタルカメラ等においても用いることができる。
【００５３】
本発明の撮像装置は、上記の実施例１〜８のいずれかのズームレンズと共に、歪曲収差及び倍率色収差の少なくとも一方を電気的に補正する回路を有していても構わない。
このような回路を設けてズームレンズの歪曲収差を許容することができる構成にすれば、ズームレンズのレンズ枚数や有効径を低減させることができ、小型化に有利となる。
また、このような回路を設けて倍率色収差を電気的に補正することにより、撮影した画像の色にじみを軽減し、解像力の向上を図ることが容易になる。
【００５４】
なお、各実施例のズームレンズと、ズームレンズを制御する制御部とを含めた撮像システム（監視カメラシステム）を構成してもよい。この場合、制御部は、ズーミングに際して各レンズ群が上述したように移動するようズームレンズを制御すればよい。このとき、制御部がズームレンズと一体的に構成されている必要はなく、制御部をズームレンズとは別体として構成してもよい。例えば、ズームレンズの各レンズを駆動する駆動部に対して遠方に配置された制御部（制御装置）が、ズームレンズを制御するための制御信号（命令）を送る送信部を備える構成を採用してもよい。このような制御部によれば、ズームレンズを遠隔操作することができる。
【００５５】
また、ズームレンズを遠隔操作するためのコントローラーやボタンなどの操作部を制御部に設けることで、ユーザーの操作部への入力に応じてズームレンズを制御する構成を採ってもよい。例えば、操作部として拡大ボタン及び縮小ボタンを設け、ユーザーが拡大ボタンを押したらズームレンズの倍率が大きくなり、ユーザーが縮小ボタンを押したらズームレンズの倍率が小さくなるように、制御部からズームレンズの駆動部に信号が送られるように構成すればよい。
【００５６】
また、撮像システムは、ズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示されるズームレンズのズームに関する情報を見ながら、操作部を介してユーザーがズームレンズを遠隔操作することができる。このとき、例えばタッチパネルなどを採用することで表示部と操作部とを一体化してもよい。
【００５７】
以上、本発明の好ましい実施形態について説明したが、本発明はこれらの実施形態に限定されず、その要旨の範囲内で種々の変形及び変更が可能である。
例えば、接合レンズを分割しレンズ間に空気間隔を設けることや、球面レンズを非球面レンズに変更することにより、更なる収差補正を行ってもよい。
【００５８】
次に、本発明の実施例１〜８それぞれに対応する数値実施例１〜８を示す。各数値実施例において、ｉは物体側からの光学面の順序を示す。
ｒｉは第ｉ番目の光学面（第ｉ面）の曲率半径、ｄｉは第ｉ面と第ｉ＋１面との間の間隔である。
ｎｄｉ、νｄｉ、θＣｔｉはそれぞれ、ｄ線に対する第ｉ面と第ｉ＋１面との間の光学部材の材料の屈折率、アッベ数、部分分散比を示す。
また、第ｉ面と第ｉ＋１面との間に光学部材を有する単レンズについて、ｄ線における焦点距離を示している。
ＢＦ（バックフォーカス）は、レンズ最終面から近軸像面までの距離を空気換算長により表したものである。＊は非球面を意味する。
【００５９】
ここで、各実施例で用いている光学材料のアッベ数と部分分散比は以下のように規定される。
フラウンフォーファ線のＦ線（４８６．１ｎｍ）、ｄ線（５８７．６ｎｍ）、Ｃ線（６５６．３ｎｍ）、ｔ線（１０１３．９８ｎｍ）に対する屈折率をそれぞれｎＦ、ｎｄ、ｎＣ、ｎｔとする。
このとき、アッベ数νｄ及びＣ線とｔ線に関する部分分散比θＣｔは、以下の式（Ａ）及び（Ｂ）のように与えられる。
νｄ＝（ｎｄ−１）／（ｎＦ−ｎＣ）  ・・・（Ａ）
θＣｔ＝（ｎＣ−ｎｔ）／（ｎＦ−ｎＣ）  ・・・（Ｂ）
【００６０】
また、ｋを離心率、Ｒを近軸曲率半径、Ａ４、Ａ６、Ａ８及びＡ１０を非球面係数、面頂点を基準にして光軸からの高さｈの位置における光軸方向の変位をｘとするとき、非球面形状は、
ｘ＝（ｈ2／Ｒ）／［１＋｛１−(１＋ｋ)(ｈ／Ｒ)2｝1/2］＋Ａ４ｈ4＋Ａ６ｈ6＋Ａ８ｈ8＋Ａ１０ｈ10  ・・・（Ｃ）
のように表される。
【００６１】
また、各実施例における第３レンズ群Ｌ３の移動軌跡は以下の式（Ｄ）で表すことができ、前述のズーム中間におけるレンズ配置は、数値実施例１〜８において中間と記載している。
ｍ３＝Ｂ１・ｍ２＋Ｂ２・ｍ２2＋Ｂ３・ｍ２3＋Ｂ４・ｍ２4＋Ｂ５・ｍ２5＋Ｂ６・ｍ２6＋Ｂ７・ｍ２7＋Ｂ８・ｍ２8＋Ｂ９・ｍ２9＋Ｂ１０・ｍ２10  ・・・（Ｄ）
ここで、式（Ｄ）中におけるｍ２は、第２レンズ群Ｌ２の広角端からの移動量を、広角端から望遠端までの移動量で規格化した値であり、すなわち広角端で０、望遠端で１となる。ｍ３は、第３レンズ群Ｌ３の広角端からの移動量である。Ｂｎは、ｎ次の移動量係数である。
【００６２】
数値実施例１〜８それぞれにおける上述した条件式（１）乃至（８）との対応を以下の表１に示す。
【００６３】
【表１】
2019128359.tif 000003
【００６４】
＜数値実施例１＞
単位 mm
面データ
面番号      r         d        nd       νd       θct     焦点距離
1        325.716      1.60   1.83481    42.7    0.7533     -54.34
2         39.730      7.36   1.49700    81.5    0.8258      67.06
3       -194.129      0.15
4         43.649      5.18   1.49700    81.5    0.8258      81.90
5       -579.228      0.10
6         42.023      3.56   1.49700    81.5    0.8258     112.58
7        164.028    (可変)
8        172.944      0.80   1.83481    42.7    0.7533     -11.24
9          8.884      3.62
10       -136.311      0.60   1.80400    46.5    0.7716     -27.83
11         26.823      2.02
12        -22.875      0.60   1.77250    49.6    0.7955     -25.86
13        159.645      0.09
14         28.832      1.99   1.95906    17.5    0.6264      21.28
15        -67.514    (可変)
16(絞り)    ∞       (可変)
17         13.319      4.49   1.49700    81.5    0.8258      33.01
18         62.840      3.90
19*        10.496      5.12   1.49700    81.5    0.8258      21.59
20*       399.925      0.92
21        -44.767      0.70   1.83481    42.7    0.7533     -10.36
22         10.801      0.73
23         17.475      0.60   1.83400    37.2    0.7324     -38.89
24         11.180      3.33   1.49700    81.5    0.8258      17.44
25        -34.733      1.77
26         12.068      2.60   1.49700    81.5    0.8258      20.90
27        -69.252    (可変)
28      -2773.781      1.21   1.95906    17.5    0.6264      19.81
29        -18.877      0.40   1.90525    35.0    0.7094      -7.00
30          9.637    (可変)
31         11.446      0.60   1.84666    23.8    0.6614     -23.55
32          7.097      4.84   1.71999    50.2    0.7931       8.43
33        -29.990
非球面データ
第19面
K =-8.76433e-001  A 4= 7.71609e-005  A 6= 4.45837e-007  A 8= 3.45861e-009  
第20面
K = 0.00000e+000  A 4= 1.34956e-004  A 6=-3.45989e-008  
【００６５】
各種データ
ズーム比     39.49 
広角     中間     望遠
焦点距離       4.20    42.74   166.00  
Fナンバー      1.65     3.00     4.94  
半画角        37.28     4.28     1.10  
像高           3.20     3.20     3.20  
レンズ全長   127.19   127.19   127.19  
BF             5.49     5.49     5.49  
d 7            0.60    33.23    40.40  
d15           41.29     8.66     1.49  
d16           16.33     7.24     1.40  
d27            2.50     9.57     5.36  
d30            2.10     4.11    14.17  
ズームレンズ群データ
群  始面    焦点距離  
1    1      54.98  
2    8      -8.54  
3   16       ∞    
4   17      20.42  
5   28     -10.94  
6   31      13.13  
ズーム軌跡データ
B 1=-5.86789e+001    B 2=6.74961e+002     B 3=-6.12739e+003
B 4=3.09355e+004     B 5=-9.12769e+004    B 6=1.62348e+005
B 7=-1.72581e+005    B 8=1.03236e+005     B 9=-2.93314e+004
B10=2.16600e+003
【００６６】
＜数値実施例２＞
単位 mm
面データ
面番号      r         d        nd       νd       θct     焦点距離
1        278.746      1.55   1.80400    46.5    0.7716     -59.02
2         40.451      6.97   1.49700    81.5    0.8258      70.05
3       -235.578      0.15
4         66.244      1.31   1.69680    55.5    0.8330    -161.18
5         41.330      5.24   1.49700    81.5    0.8258      79.07
6       -765.109      0.10
7         34.458      5.78   1.49700    81.5    0.8258      70.38
8       2176.812    (可変)
9        650.036      0.80   1.80400    46.5    0.7716     -10.61
10          8.417      3.24
11        -80.003      0.60   1.77250    49.6    0.7955     -20.98
12         20.386      2.20
13        -17.034      0.60   1.69680    55.5    0.8330     -21.65
14        133.598      0.09
15         28.891      2.64   1.85478    24.8    0.6739      16.60
16        -26.717    (可変)
17(絞り)    ∞       (可変)
18         12.854      4.90   1.49700    81.5    0.8258      40.59
19         30.948      1.12
20*        11.300      6.36   1.49700    81.5    0.8258      17.10
21*       -27.899      0.99
22        -25.209      0.70   1.80400    46.5    0.7716     -10.75
23         13.309      0.69
24         23.460      0.60   1.77250    49.6    0.7955     -14.83
25          7.612      4.55   1.49700    81.5    0.8258      13.00
26        -34.298      0.15
27         11.551      4.04   1.49700    81.5    0.8258      17.30
28        -29.708    (可変)
29      -1055.074      2.50   1.95906    17.5    0.6264      16.22
30        -15.343      0.40   1.90525    35.0    0.7094      -6.12
31          8.769    (可変)
32         10.982      0.50   1.84666    23.8    0.6614     -24.02
33          6.982      4.32   1.63854    55.4    0.7968       8.67
34        -20.298
非球面データ
第20面
K =-8.38297e-001  A 4= 4.15595e-005  A 6= 3.35700e-007  A 8= 8.80528e-010  A10= 1.96715e-011  
第21面
K =-3.69828e+000  A 4= 1.28809e-004  A 6=-5.21399e-007  A 8=-1.63897e-009  
【００６７】
各種データ
ズーム比     39.49 
広角     中間     望遠
焦点距離       4.36    42.74   172.12  
Fナンバー      1.65     3.00     4.94  
半画角        36.28     4.28     1.07  
像高           3.20     3.20     3.20  
レンズ全長   129.41   129.41   129.41  
BF             5.40     5.40     5.40  
d 8            0.56    33.20    40.36  
d16           41.60     8.96     1.80  
d17           14.18     6.64     1.40  
d28            2.50     8.16     3.81  
d31            2.10     3.98    13.57  
ズームレンズ群データ
群  始面    焦点距離  
1    1      55.02  
2    9      -8.51  
3   17       ∞    
4   18      19.54  
5   29      -9.93  
6   32      13.38  
ズーム軌跡データ
B 1=-4.24728e+001    B 2=3.78036e+002     B 3=-3.64319e+003
B 4=1.80761e+004     B 5=-4.49209e+004    B 6=4.97756e+004
B 7=7.08132e+002     B 8=-5.60006e+004    B 9=4.97472e+004
B10=-1.40906e+004
【００６８】
＜数値実施例３＞
単位 mm
面データ
面番号      r         d        nd       νd       θct     焦点距離
1        138.493      1.50   1.77250    49.6    0.7955    -169.36
2         66.960      2.60
3        148.350      1.60   1.77250    49.6    0.7955     -59.08
4         34.736      8.63   1.49700    81.5    0.8258      63.40
5       -311.495      0.15
6         45.306      5.61   1.49700    81.5    0.8258      89.44
7      -2267.302      0.10
8         51.929      4.76   1.49700    81.5    0.8258      91.05
9       -341.108    (可変)
10        377.256      0.80   1.77250    49.6    0.7955     -12.16
11          9.158      3.88
12        -79.308      0.60   1.77250    49.6    0.7955     -28.92
13         31.205      2.30
14        -18.860      0.60   1.69680    55.5    0.8330     -22.70
15         99.424      0.15
16         34.807      2.81   1.85478    24.8    0.6739      19.28
17        -30.128    (可変)
18(絞り)    ∞       (可変)
19         10.990      5.32   1.49700    81.5    0.8258      25.96
20         62.301      0.10
21*        23.374      3.53   1.49700    81.5    0.8258      32.25
22*       -48.421      1.88
23        566.730      0.70   1.83481    42.7    0.7533     -13.77
24         11.262      0.49
25         14.183      0.60   1.83481    42.7    0.7533     -22.67
26          7.951      4.65   1.49700    81.5    0.8258      12.84
27        -26.065      0.14
28          9.361      2.32   1.49700    81.5    0.8258      22.94
29         48.003    (可変)
30       -569.264      0.78   1.95906    17.5    0.6264      25.76
31        -23.698      0.40   1.91082    35.3    0.7128      -6.13
32          7.369    (可変)
33         10.978      2.89   1.49700    81.5    0.8258      13.23
34        -14.977
非球面データ
第19面
K =-9.98413e-001  A 4= 5.10413e-005  A 6= 1.58229e-007  A 8= 8.61470e-010  
第20面
K = 0.00000e+000  A 4= 6.03316e-005  A 6= 1.20789e-007  
【００６９】
各種データ
ズーム比     39.49 
広角     中間     望遠
焦点距離       4.21    44.96   166.22  
Fナンバー      1.65     3.00     4.94  
半画角        37.24     4.07     1.10  
像高           3.20     3.20     3.20  
レンズ全長   129.42   129.42   129.42  
BF             5.38     5.38     5.38  
d 9            0.59    40.47    49.23  
d17           50.42    10.53     1.78  
d18            7.71     2.67     1.38  
d29            3.39     7.80     2.48  
d32            2.05     2.69     9.29  
ズームレンズ群データ
群  始面    焦点距離  
1    1      61.13  
2   10      -9.78  
3   18       ∞    
4   19      16.70  
5   30      -8.11  
6   33      13.23  
ズーム軌跡データ
B 1=-3.03360e+001    B 2=4.13514e+002     B 3=-4.68698e+003
B 4=2.62698e+004     B 5=-8.06248e+004    B 6=1.45345e+005
B 7=-1.58052e+005    B 8=1.02170e+005     B 9=-3.63328e+004
B10=5.52239e+003
【００７０】
＜数値実施例４＞
単位 mm
面データ
面番号      r         d        nd       νd       θct     焦点距離
1        424.243      1.60   1.83481    42.7    0.7533     -56.71
2         42.516      7.10   1.49700    81.5    0.8258      70.11
3       -182.391      0.15
4         52.351      4.32   1.49700    81.5    0.8258      99.36
5       -846.871      0.10
6         41.596      4.21   1.49700    81.5    0.8258      92.47
7        423.668    (可変)
8       3297.222      0.80   1.83481    42.7    0.7533     -10.28
9          8.561      3.13
10       -217.350      0.60   1.80400    46.5    0.7716     -22.03
11         19.307      2.09
12        -20.635      0.60   1.77250    49.6    0.7955     -28.21
13       -394.183      0.61
14         27.108      1.71   1.95906    17.5    0.6264      23.22
15       -120.993    (可変)
16(絞り)    ∞       (可変)
17         13.593      4.84   1.49700    81.5    0.8258      34.12
18         60.413      4.79
19*        11.131      5.11   1.49700    81.5    0.8258      19.98
20*       -77.966      1.30
21        -27.087      0.70   1.83481    42.7    0.7533     -10.34
22         12.820      0.58
23         19.758      0.60   1.80400    46.5    0.7716     -22.30
24          9.271      4.60   1.49700    81.5    0.8258      13.95
25        -22.940      4.65
26         20.225      3.45   1.49700    81.5    0.8258      19.28
27        -17.173    (可変)
28         76.447      0.97   1.95906    17.5    0.6264      32.70
29        -52.835      0.40   1.90525    35.0    0.7094      -7.61
30          7.945    (可変)
31         10.585      0.60   1.84666    23.8    0.6614     -28.95
32          7.201      3.92   1.71999    50.2    0.7931       8.26
33        -26.454
非球面データ
第19面
K =-1.09202e+000  A 4= 8.62055e-005  A 6= 5.68802e-007  A 8= 3.66096e-009  
第20面
K = 0.00000e+000  A 4= 1.71421e-004  A 6= 6.36796e-009  
【００７１】
各種データ
ズーム比     26.43 
広角     中間     望遠
焦点距離       3.79    37.34   100.10  
Fナンバー      1.65     3.00     4.94  
半画角        40.19     4.90     1.83  
像高           3.20     3.20     3.20  
レンズ全長   129.45   129.45   129.45  
BF             4.77     4.77     4.77  
d 7            0.51    33.15    40.31  
d15           41.29     8.65     1.49  
d16           14.83     1.38     1.40  
d27            2.47    13.37    12.58  
d30            2.04     4.59     5.36  
ズームレンズ群データ
群  始面    焦点距離  
1    1      55.27  
2    8      -7.43  
3   16       ∞    
4   17      24.94  
5   28     -10.07  
6   31      11.70  
ズーム軌跡データ
B 1=-7.19201e+001    B 2=7.70723e+002     B 3=-6.84367e+003
B 4=3.30970e+004     B 5=-9.17762e+004    B 6=1.53588e+005
B 7=-1.59873e+005    B 8=1.04032e+005     B 9=-4.02516e+004
B10=7.31473e+003
【００７２】
＜数値実施例５＞
単位 mm
面データ
面番号      r         d        nd       νd       θct     焦点距離
1        247.653      1.60   1.83481    42.7    0.7533     -60.31
2         41.715      6.04   1.49700    81.5    0.8258      71.37
3       -225.580      0.15
4         44.400      5.27   1.49700    81.5    0.8258      84.22
5       -702.290      0.10
6         44.285      3.67   1.49700    81.5    0.8258     129.75
7        137.490    (可変)
8         75.853      0.80   1.83481    42.7    0.7533     -12.60
9          9.195      3.42
10       -138.937      0.60   1.80400    46.5    0.7716     -39.16
11         40.794      1.77
12        -23.417      0.60   1.77250    49.6    0.7955     -31.08
13       -964.114      0.35
14         30.262      2.66   1.95906    17.5    0.6264      26.08
15       -137.832    (可変)
16(絞り)    ∞       (可変)
17         13.469      5.09   1.49700    81.5    0.8258      32.00
18         76.925      3.66
19*        10.337      5.07   1.49700    81.5    0.8258      19.81
20*      -173.126      0.50
21        -44.421      0.70   1.83481    42.7    0.7533     -10.24
22         10.663      1.00
23         23.201      0.60   1.77250    49.6    0.7955     -29.18
24         11.304      3.84   1.49700    81.5    0.8258      17.42
25        -32.779      0.15
26         11.288      3.21   1.49700    81.5    0.8258      21.63
27       -204.965    (可変)
28        615.839      1.70   1.95906    17.5    0.6264      21.91
29        -21.722      0.40   1.90525    35.0    0.7094      -7.55
30         10.055    (可変)
31         13.111      0.60   1.84666    23.8    0.6614     -31.95
32          8.645      3.68   1.71999    50.2    0.7931       9.98
33        -34.927
非球面データ
第19面
K =-1.02642e+000  A 4= 9.20649e-005  A 6= 4.07073e-007  A 8= 3.54427e-009  
第20面
K = 0.00000e+000  A 4= 1.10104e-004  A 6=-2.47915e-007  
【００７３】
各種データ
ズーム比     29.50 
広角     中間     望遠
焦点距離       5.49    42.58   161.83  
Fナンバー      1.65     3.00     4.94  
半画角        30.26     4.30     1.13  
像高           3.20     3.20     3.20  
レンズ全長   126.78   126.78   126.78  
BF             6.54     6.54     6.54  
d 7            1.00    33.64    40.80  
d15           41.98     9.35     2.18  
d16           14.69    10.15     1.40  
d27            2.50     7.13     2.51  
d30            2.85     2.77    16.14  
ズームレンズ群データ
群  始面    焦点距離  
1    1      57.87  
2    8     -10.29  
3   16       ∞    
4   17      20.23  
5   28     -11.66  
6   31      14.66  
ズーム軌跡データ
B 1=-4.24064e+001    B 2=6.03486e+002     B 3=-5.78117e+003
B 4=3.01062e+004     B 5=-9.05595e+004    B 6=1.62315e+005
B 7=-1.72545e+005    B 8=1.03219e+005     B 9=-2.98498e+004
B10=2.52125e+003
【００７４】
＜数値実施例６＞
単位 mm
面データ
面番号      r         d        nd       νd       θct     焦点距離
1        265.987      1.60   1.83481    42.7    0.7533     -72.64
2         49.247      4.85   1.49700    81.5    0.8258      84.78
3       -282.143      0.15
4         49.911      3.92   1.49700    81.5    0.8258     101.47
5       4720.766      0.10
6         38.999      3.05   1.49700    81.5    0.8258     141.95
7         84.947    (可変)
8         21.337      0.80   1.83481    42.7    0.7533     -41.55
9         12.985      2.91
10         98.809      0.60   1.80400    46.5    0.7716     -22.77
11         15.404      3.02
12        -30.355      0.60   1.77250    49.6    0.7955     -39.07
13       5366.957      6.75
14         56.802      2.23   1.95906    17.5    0.6264      56.15
15      -1016.384    (可変)
16(絞り)    ∞       (可変)
17         13.506      4.21   1.49700    81.5    0.8258      31.58
18         86.780      2.13
19*        12.817      4.66   1.49700    81.5    0.8258      19.30
20*       -33.522      0.50
21        -33.493      0.70   1.83481    42.7    0.7533     -13.15
22         16.492      0.54
23         29.446      0.60   1.80400    46.5    0.7716     -79.66
24         19.989      3.52   1.49700    81.5    0.8258      18.15
25        -15.476      0.14
26         15.761      2.27   1.49700    81.5    0.8258      27.93
27       -110.714    (可変)
28        -58.757      1.11   1.95906    17.5    0.6264      27.04
29        -18.156      0.40   1.90525    35.0    0.7094      -5.49
30          6.916    (可変)
31         17.619      0.60   1.84666    23.8    0.6614     -25.47
32          9.545      3.37   1.71999    50.2    0.7931       8.64
33        -15.246
非球面データ
第19面
K =-1.20190e+000  A 4= 2.45902e-005  A 6= 1.44830e-007  A 8=-4.63444e-010  
第20面
K = 0.00000e+000  A 4= 1.56539e-004  A 6=-3.06033e-007  
【００７５】
各種データ
ズーム比     14.50 
広角     中間     望遠
焦点距離       6.49    45.06    94.07  
Fナンバー      1.65     3.00     4.93  
半画角        26.26     4.06     1.95  
像高           3.20     3.20     3.20  
レンズ全長   119.83   119.83   119.83  
BF             5.07     5.07     5.07  
d 7            1.00    33.64    40.80  
d15           41.79     9.16     1.99  
d16           11.99     4.16     1.40  
d27            2.52     3.41     2.59  
d30            2.12     9.06    12.64  
ズームレンズ群データ
群  始面    焦点距離  
1    1      66.33  
2    8     -14.82  
3   16       ∞    
4   17      15.01  
5   28      -6.86  
6   31      12.78  
ズーム軌跡データ
B 1=-4.78538e+001    B 2=7.74897e+002     B 3=-7.31266e+003
B 4=3.48607e+004     B 5=-9.36072e+004    B 6=1.52987e+005
B 7=-1.58151e+005    B 8=1.03085e+005     B 9=-3.94632e+004
B10=6.86340e+003
【００７６】
＜数値実施例７＞
単位 mm
面データ
面番号      r         d        nd       νd       θct     焦点距離
1        216.197      1.60   1.83481    42.7    0.7533     -60.47
2         40.786     10.69   1.49700    81.5    0.8258      70.82
3       -234.581      0.15
4         45.549      6.80   1.49700    81.5    0.8258      82.06
5       -370.602      0.10
6         47.545      3.71   1.49700    81.5    0.8258     136.99
7        153.523    (可変)
8        163.141      0.80   1.83481    42.7    0.7533     -11.76
9          9.239      4.22
10       -755.048      0.60   1.80400    46.5    0.7716     -48.67
11         41.282      1.65
12        -34.651      0.60   1.77250    49.6    0.7955     -28.45
13         60.533      0.04
14         21.661      2.87   1.95906    17.5    0.6264      25.51
15        176.665    (可変)
16(絞り)    ∞       (可変)
17         13.632      4.77   1.43875    94.9    0.8373      39.30
18         58.133      4.28
19*        10.283      5.24   1.43875    94.9    0.8373      25.86
20*        92.592      1.10
21        -58.282      0.70   1.64000    60.1    0.8645     -14.34
22         10.947      0.94
23         22.419      0.60   1.64000    60.1    0.8645     -31.86
24         10.566      4.20   1.43875    94.9    0.8373      17.90
25        -26.885      2.28
26         10.292      3.07   1.43875    94.9    0.8373      26.59
27         79.393    (可変)
28        140.722      1.11   1.95906    17.5    0.6264      97.53
29       -277.882      0.40   1.90525    35.0    0.7094     -10.64
30          9.986    (可変)
31         10.491      0.60   1.84666    23.8    0.6614     -43.09
32          7.934      4.78   1.69680    55.5    0.8330      10.22
33        -52.312
非球面データ
第19面
K =-1.58516e+000  A 4= 1.64094e-004  A 6= 3.20170e-007  A 8= 6.36155e-009  
第20面
K = 0.00000e+000  A 4= 1.37584e-004  A 6= 5.19101e-007  
【００７７】
各種データ
ズーム比     49.48 
広角     中間     望遠
焦点距離       4.19    38.51   207.26  
Fナンバー      1.65     3.09     5.77  
半画角        37.38     4.75     0.88  
像高           3.20     3.20     3.20  
レンズ全長   148.32   148.32   148.32  
BF             4.72     4.72     4.72  
d 7            0.92    33.56    40.72  
d15           43.09    10.45     3.29  
d16           27.01    18.20     4.09  
d27            2.61     6.61     2.67  
d30            2.09     6.89    24.95  
ズームレンズ群データ
群  始面    焦点距離  
1    1      56.78  
2    8      -9.37  
3   16       ∞    
4   17      22.42  
5   28     -12.03  
6   31      13.71  
ズーム軌跡データ
B 1=-5.53472e+001    B 2=6.45831e+002     B 3=-6.00774e+003
B 4=3.02295e+004     B 5=-8.87432e+004    B 6=1.57802e+005
B 7=-1.68180e+005    B 8=1.00582e+005     B 9=-2.80420e+004
B10=1.74616e+003
【００７８】
＜数値実施例８＞
単位 mm
面データ
面番号      r         d        nd       νd       θct     焦点距離
1         94.601      1.48   1.80400    46.5    0.7716    -100.37
2         43.246      5.96   1.49700    81.5    0.8258      84.40
3      -1333.376      0.15
4         96.543      1.32   1.69680    55.5    0.8330     -79.86
5         35.103      5.67   1.49700    81.5    0.8258      74.10
6        709.980      0.15
7         35.264      5.37   1.49700    81.5    0.8258      73.70
8        897.777    (可変)
9        100.464      0.72   1.83481    42.7    0.7533     -10.99
10          8.377      3.56
11        -97.297      0.52   1.77250    49.6    0.7955     -20.46
12         18.917      2.61
13        -16.315      0.51   1.69680    55.5    0.8330     -23.83
14       -952.924      0.10
15         33.316      2.90   1.85478    24.8    0.6739      17.17
16        -25.188    (可変)
16(絞り)    ∞       (可変)
18         14.745      5.29   1.49700    81.5    0.8258      35.21
19         82.484      3.33
20*        13.718      4.18   1.58313    59.4    0.8271      28.41
21*        70.800      0.54
22        874.018      0.60   1.74951    35.3    0.7308     -13.42
23          9.942      5.03   1.49700    81.5    0.8258      17.57
24        -59.730      0.15
25         19.698      3.47   1.49700    81.5    0.8258      15.37
26        -11.743      0.50   1.71300    53.9    0.8194     -21.90
27        -48.168    (可変)
28       2095.961      1.51   1.95906    17.5    0.6264      14.17
29        -13.675      0.50   1.91082    35.3    0.7128      -5.71
30          8.539    (可変)
31         10.849      4.30   1.60311    60.6    0.8321       8.82
32         -8.875      0.50   1.84666    23.8    0.6614     -24.86
33        -15.742
非球面データ
第20面
K =-5.80930e-001  A 4= 1.16634e-005  A 6= 2.64790e-007  A 8=-5.72607e-009  A10= 3.75124e-012  
第21面
K = 0.00000e+000  A 4= 6.45917e-005  A 6= 5.17998e-007  A 8=-2.14030e-008  A10= 1.62997e-010  
【００７９】
各種データ
ズーム比     39.10 
広角     中間     望遠
焦点距離       4.50    50.60   175.98  
Fナンバー      1.65     3.10     4.94  
半画角        35.41     3.62     1.04  
像高           3.20     3.20     3.20  
レンズ全長   129.41   129.41   129.41  
BF             5.40     5.40     5.40  
d 8            0.65    38.37    46.65  
d16           47.80    10.08     1.80  
d17            9.14     2.40     1.40  
d27            1.99     8.43     1.99  
d30            3.50     3.80    11.24  
ズームレンズ群データ
群  始面    焦点距離  
1    1      63.25  
2    9      -9.06  
3   17       ∞    
4   18      17.98  
5   28      -9.75  
6   31      12.90  
ズーム軌跡データ
B 1=-5.85119e+001    B 2=6.34619e+002     B 3=-5.57210e+003
B 4=2.61931e+004     B 5=-6.45757e+004    B 6=7.59750e+004
B 7=-1.27588e+004    B 8=-6.49905e+004    B 9=6.45864e+004
B10=-1.94412e+004
【符号の説明】
【００８０】
Ｌ１  第１レンズ群
Ｌ２  第２レンズ群
Ｌ３  第３レンズ群
ＬＲ  後群
【図１】
2019128359.tif 000004
【図２】
2019128359.tif 000005
【図３】
2019128359.tif 000006
【図４】
2019128359.tif 000007
【図５】
2019128359.tif 000008
【図６】
2019128359.tif 000009
【図７】
2019128359.tif 000010
【図８】
2019128359.tif 000011
【図９】
2019128359.tif 000012
【図１０】
2019128359.tif 000013
【図１１】
2019128359.tif 000014
【図１２】
2019128359.tif 000015
【図１３】
2019128359.tif 000016
【図１４】
2019128359.tif 000017
【図１５】
2019128359.tif 000018
【図１６】
2019128359.tif 000019
【図１７】
2019128359.tif 000020
【図１８】
2019128359.tif 000021
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群と、負の屈折力の第２レンズ群と、正の屈折力の第３レンズ群と、少なくとも一つのレンズ群を含む後群とを有し、ズーミングに際して隣り合うレンズ群の間隔が変化するズームレンズであって、
前記第３レンズ群は、少なくとも２枚の負レンズと少なくとも３枚の正レンズとを有し、
前記少なくとも２枚の負レンズの中で屈折力が最も強い２枚の負レンズの材料の部分分散比の平均値をθＣｔｎave、前記少なくとも３枚の正レンズの中で屈折力が最も強い３枚の正レンズの材料の部分分散比の平均値をθＣｔｐave、前記２枚の負レンズの材料のアッベ数の平均値をνｄｎave、前記３枚の正レンズの材料のアッベ数の平均値をνｄｐave、バックフォーカスをＢＦ、広角端における全系の焦点距離をｆｗとしたとき、
−０．００３０≦（θＣｔｎave−θＣｔｐave）／（νｄｎave−νｄｐave）≦０．００４０
３０．０≦νｄｎave≦７５．０
０．３≦ＢＦ／ｆｗ≦２．０
なる条件式を満足することを特徴とするズームレンズ。
【請求項２】
前記第３レンズ群の焦点距離をｆ３としたとき、
１．１≦ｆ３／ｆｗ≦８．２
なる条件式を満足することを特徴とする請求項１に記載のズームレンズ。
【請求項３】
前記第１レンズ群の焦点距離をｆ１としたとき、
７．７≦ｆ１／ｆｗ≦２０．０
なる条件式を満足することを特徴とする請求項１または２に記載のズームレンズ。
【請求項４】
望遠端における全系の焦点距離をｆｔとしたとき、
５．０≦ｆｔ／ｆｗ≦９０．０
なる条件式を満足することを特徴とする請求項１乃至３のいずれか１項に記載のズームレンズ。
【請求項５】
ズーミングに際して、前記第１レンズ群は不動であることを特徴とする請求項１乃至４のいずれか１項に記載のズームレンズ。
【請求項６】
前記第１レンズ群は、少なくとも３枚の正レンズを有することを特徴とする請求項１乃至５のいずれか１項に記載のズームレンズ。
【請求項７】
前記第１レンズ群の焦点距離をｆ１、前記第２レンズ群の焦点距離をｆ２としたとき、
−１２．０≦ｆ１／ｆ２≦−２．０
なる条件式を満足することを特徴とする請求項１乃至６のいずれか１項に記載のズームレンズ。
【請求項８】
最も物体側の光学面から像面までの距離をＴＤ、望遠端における全系の焦点距離をｆｔとしたとき、
０．３≦ＴＤ／ｆｔ≦２．０
なる条件式を満足することを特徴とする請求項１乃至７のいずれか１項に記載のズームレンズ。
【請求項９】
前記第３レンズ群よりも物体側に配置された開口絞りを有することを特徴とする請求項１乃至８のいずれか１項に記載のズームレンズ。
【請求項１０】
−０．００２０≦（θＣｔｎave−θＣｔｐave）／（νｄｎave−νｄｐave）≦０．００３０
なる条件式を満足することを特徴とする請求項１乃至９のいずれか１項に記載のズームレンズ。
【請求項１１】
３５．０≦νｄｎave≦６５．０
なる条件式を満足することを特徴とする請求項１乃至１０のいずれか１項に記載のズームレンズ。
【請求項１２】
請求項１乃至１１のいずれか１項に記載のズームレンズと、
該ズームレンズによって形成された像を受光する撮像素子とを有することを特徴とする撮像装置。
【請求項１３】
請求項１乃至１１のいずれか１項に記載のズームレンズと、
ズーミングに際して前記ズームレンズを制御する制御部とを有することを特徴とする撮像システム。
【請求項１４】
前記制御部は、前記ズームレンズとは別体として構成されており、前記ズームレンズを制御するための制御信号を送信する送信部を有することを特徴とする請求項１３に記載の撮像システム。
【請求項１５】
前記制御部は、前記ズームレンズとは別体として構成されており、前記ズームレンズを操作するための操作部を有することを特徴とする請求項１３または１４に記載の撮像システム。
【請求項１６】
前記ズームレンズのズームに関する情報を表示する表示部を有することを特徴とする請求項１３乃至１５のいずれか１項に記載の撮像システム。
【手続補正２】
【補正対象書類名】明細書
【補正対象項目名】０００６
【補正方法】変更
【補正の内容】
【０００６】
本発明に係るズームレンズは、物体側から像側へ順に配置された、正の屈折力の第１レンズ群と、負の屈折力の第２レンズ群と、正の屈折力の第３レンズ群と、少なくとも一つのレンズ群を含む後群とを有し、ズーミングに際して隣り合うレンズ群の間隔が変化するズームレンズであって、第３レンズ群は、少なくとも２枚の負レンズと少なくとも３枚の正レンズとを有し、少なくとも２枚の負レンズの中で屈折力が最も強い２枚の負レンズの材料の部分分散比の平均値をθＣｔｎave、少なくとも３枚の正レンズの中で屈折力が最も強い３枚の正レンズの材料の部分分散比の平均値をθＣｔｐave、２枚の負レンズの材料のアッベ数の平均値をνｄｎave、３枚の正レンズの材料のアッベ数の平均値をνｄｐave、バックフォーカスをＢＦ、広角端における全系の焦点距離をｆｗとしたとき、
−０．００３０≦（θＣｔｎave−θＣｔｐave）／（νｄｎave−νｄｐave）
≦０．００４０
３０．０≦νｄｎave≦７５．０
０．３≦ＢＦ／ｆｗ≦２．０
なる条件式を満足することを特徴とする。
【手続補正３】
【補正対象書類名】明細書
【補正対象項目名】００１０
【補正方法】変更
【補正の内容】
【００１０】
本発明は、小型かつ高ズーム比でありながら、可視光から近赤外光までの波長領域における色収差が良好に補正されたズームレンズ、及びそれを有する撮像装置を提供することを目的としている。
本発明に係るズームレンズは、物体側から像側へ順に配置された、正の屈折力の第１レンズ群Ｌ１と、負の屈折力の第２レンズ群Ｌ２と、正の屈折力の第３レンズ群Ｌ３と、少なくとも一つのレンズ群を含む後群ＬＲとを有しており、ズーミングに際して隣り合うレンズ群の間隔が変化する。
第３レンズ群Ｌ３は、少なくとも２枚の負レンズと少なくとも３枚の正レンズとを有している。また、ズーミングに際して、第１レンズ群Ｌ１は不動である。
第３レンズ群Ｌ３に含まれる負レンズの中で屈折力が最も強い２枚の負レンズの材料の部分分散比の平均値（以下、平均部分分散比と称する。）をθＣｔｎave、第３レンズ群Ｌ３に含まれる正レンズの中で屈折力が最も強い３枚のレンズの材料の平均部分分散比をθＣｔｐaveとする。
また、第３レンズ群Ｌ３に含まれる負レンズの中で屈折力が最も強い２枚の負レンズの材料のアッベ数の平均値（以下、平均アッベ数と称する。）をνｄｎave、第３レンズ群Ｌ３に含まれる正レンズの中で屈折力が最も強い３枚の正レンズの材料の平均アッベ数をνｄｐaveとする。
このとき、本発明に係るズームレンズは、以下の条件式を満足することを特徴とする。
−０．００３０≦（θＣｔｎave−θＣｔｐave）／（νｄｎave−νｄｐave）
≦０．００４０  ・・・（１）
３０．０≦νｄｎave≦７５．０  ・・・（２）
【手続補正４】
【補正対象書類名】明細書
【補正対象項目名】００１４
【補正方法】変更
【補正の内容】
【００１４】
図１８において、第３レンズ群Ｌ３に含まれる負レンズの中で屈折力が最も強い（屈折力の絶対値が大きい）２枚の負レンズＬＮ１及びＬＮ２（最も強い屈折力を有する負レンズＬＮ１及び二番目に強い屈折力を有する負レンズＬＮ２）の材料の平均部分分散比θＣｔｎaveと平均アッベ数νｄｎaveとを座標値として持つ点Ｎが示されている。
また、第３レンズ群Ｌ３に含まれる正レンズの中で屈折力が最も強い（屈折力の絶対値が大きい）３枚の正レンズＬＰ１、ＬＰ２及びＬＰ３（最も強い屈折力を有する正レンズＬＰ１、二番目に強い屈折力を有する正レンズＬＰ２及び三番目に強い屈折力を有する正レンズＬＰ３）の材料の平均部分分散比θＣｔｐaveと平均アッベ数νｄｐaveとを座標値として持つ点Ｐも示されている。
なお、負レンズＬＮ１及びＬＮ２の屈折力は互いに同じでもよく、正レンズＬＰ１、ＬＰ２及びＬＰ３のうちの少なくとも二つの屈折力は互いに同じでもかまわない。
【手続補正５】
【補正対象書類名】明細書
【補正対象項目名】００１６
【補正方法】変更
【補正の内容】
【００１６】
条件式（２）は、第３レンズ群Ｌ３に含まれる負レンズの中で屈折力が最も強い２枚の負レンズＬＮ１及びＬＮ２の材料の平均アッベ数を規定したものである。
条件式（２）を満たすことで、特に広角端において発生する軸上色収差を十分に抑制することができ、良好な光学性能を得ることが可能となる。
条件式（２）の下限値を超えて平均アッベ数が小さくなりすぎると、特に広角端において軸上色収差が大きく発生してしまうため好ましくない。